(57)【要約】【課題】金属配線部が操作面側から見え難い入力装置を提供する。【解決手段】表面に表示領域２０及び加飾領域１０を有する透明基材３０と、表示領域２０に設けられた透明電極２１と、加飾領域１０に設けられた配線部１１と、を備えた入力装置１００であって、配線部１１は、透明電極２１と一体で形成された透明な導電層である透明配線部１３と、金属配線部１２と、を有し、透明配線部１３は、透明電極２１と金属配線部１２とを電気的に接続する透明接続配線部１３ａを有し、加飾領域１０には、金属配線部１２よりも表示領域２０側に複数の段差部１５が設けられ、複数の段差部１５は、平面視にて金属配線部１２の延在方向に隙間１７を設けるように配置されており、透明接続配線部１３ａが隙間１７を通って表示領域２０から加飾領域１０に延出している。【選択図】図１
2017115566.tif 000002
【特許請求の範囲】
【請求項１】
表示領域及び加飾領域を有する透明基材と、操作面の反対側における前記表示領域に設けられた透明電極と、前記加飾領域に設けられた加飾層と、前記加飾層に対して前記透明基材とは反対側に設けられた配線部と、を備えた入力装置であって、
前記配線部は、前記加飾領域において、金属配線部と、前記透明電極と一体で形成された透明な導電層である透明配線部と、の積層構造を有し、
前記透明配線部は、前記表示領域と前記加飾領域に跨って前記透明電極と前記金属配線部とを電気的に接続する透明接続配線部を有し、
前記加飾領域には、前記金属配線部よりも前記表示領域側に複数の段差部が設けられ、
複数の前記段差部は、平面視にて前記金属配線部の延在方向に隙間を設けるように配置されており、
前記透明接続配線部が前記隙間を通って前記表示領域から前記加飾領域に延出している、
ことを特徴とする入力装置。
【請求項２】
前記段差部が前記操作面の反対側に設けられた凸部である、
ことを特徴とする請求項１に記載の入力装置。
【請求項３】
複数の前記透明接続配線部が、共通の前記隙間を通って前記表示領域から前記加飾領域へ延出している、
ことを特徴とする請求項１又は請求項２に記載の入力装置。
【請求項４】
前記加飾領域における前記透明接続配線部と前記金属配線部との接続箇所が、前記段差部と対向する位置に設けられている、
ことを特徴とする請求項１から請求項３のいずれかに記載の入力装置。      
【請求項５】
前記段差部の側面に、遮光層が設けられている、
ことを特徴とする請求項１から請求項４のいずれかに記載の入力装置。
【請求項６】
前記段差部が前記透明基材に設けられた凹部である、
ことを特徴とする請求項１から請求項５のいずれかに記載の入力装置。
【発明の詳細な説明】
【技術分野】
【０００１】
本発明は、透明電極と加飾領域とを有する入力装置に関し、特に加飾領域内に配線部を有する入力装置に関する。
【背景技術】
【０００２】
近年、入力装置として、タッチパネル式の入力装置が開発されてきている。タッチパネル式の入力装置は、主に携帯機器用途で普及しており、操作体が携帯機器の操作面にタッチするか、又は操作面に近接したときの静電容量の変化によって操作入力を検知するものである。【０００３】
このようなタッチパネル式の入力装置として、特許文献１に記載された入力装置９００が知られている。以下、図１２及び図１３を用いて、入力装置９００について説明する。【０００４】
入力装置９００は、図１２に示すように、下部基板９２２の下部透明基材９３２上において入力領域９１１を備え、入力領域９１１の周囲は額縁状の加飾領域９１２となっている。ここで「加飾領域」とは、図１２に示す下部基板９２２の領域がタッチパネルの操作面側から見えないようにする領域のことを指し、加飾領域９１２に設けられた加飾層９３４によって加飾された（黒く塗装された）領域である。また、加飾領域９１２は実質的に操作面として使用される領域ではないため「非入力領域」として構成されている。【０００５】
入力装置９００は、図１２及び図１３に示すように、透明電極９１４と、透明電極９１４に電気的に接続された配線部９１５（９１５ａ〜９１５ｊ）と、を備え、配線部９１５は、第１配線層９１６と第２配線層９２５（９２５ｆ〜９２５ｈ）とを有する積層構造となっている。第１配線層９１６は、透明基材の表面に形成された透明電極９１４と一体で形成された透明導電層であり、第２配線層９２５は、金属層で形成されている。透明電極９１４は入力領域９１１に設けられ、第２配線層９２５は、入力領域９１１の外側に位置する加飾領域９１２内に設けられている。また、第１配線層９１６は、入力領域９１１と加飾領域９１２とに跨って設けられている。【０００６】
入力装置９００は、透明配線部である第１配線層９１６上に金属配線部である第２配線層９２５を形成することにより、配線部の電気抵抗を低く抑えることができる、という効果を奏する。
【先行技術文献】
【特許文献】
【０００７】
【特許文献１】特開２０１２−０４３２９８号公報
【発明の概要】
【発明が解決しようとする課題】
【０００８】
しかしながら、入力装置９００では、タッチパネルの操作面側を透明基板に対して垂直方向から見たときは、金属配線部が加飾領域に設けられた加飾層によって見えないが、透明基板に対して斜め方向から見ると金属配線部が見えてしまい、外観が悪くなってしまうという問題が発生する。この問題は、特に、タッチパネルが車両のセンターコンソールに搭載されたときに顕著となる。車両のセンターコンソールにタッチパネルが搭載された場合、主な操作者である運転者および助手席の乗車者は常に操作面側を透明基板に対して斜め方向から見るため、加飾領域に形成されている金属配線部が操作者に見えてしまう。【０００９】
本発明はこのような従来技術の実情に鑑みてなされたもので、金属配線部が操作面側から見え難い入力装置を提供することを目的とする。
【課題を解決するための手段】
【００１０】
上記課題を解決するために本発明の入力装置は、表示領域及び加飾領域を有する透明基材と、操作面の反対側における前記表示領域に設けられた透明電極と、前記加飾領域に設けられた加飾層と、前記加飾層に対して前記透明基材とは反対側に設けられた配線部と、を備えた入力装置であって、前記配線部は、前記加飾領域において、金属配線部と、前記透明電極と一体で形成された透明な導電層である透明配線部と、の積層構造を有し、前記表示領域から前記加飾領域に跨って前記透明配線部は、前記透明電極と前記金属配線部とを電気的に接続する透明接続配線部を有し、前記加飾領域には、前記金属配線部よりも前記表示領域側に複数の段差部が設けられ、複数の前記段差部は、平面視にて前記金属配線部の延在方向に隙間を設けるように配置されており、前記透明接続配線部が前記隙間を通って前記表示領域から前記加飾領域に延出している、という特徴を有する。【００１１】
このように構成された入力装置は、金属配線部より表示領域側に段差部を設けたため、入力装置の操作面側を透明基板に対して斜め方向から見ても、金属配線部に向かう入射光が段差部によって屈折され、金属配線部に入射する光の量を抑制することが可能となる。そのため、金属配線部を操作面側から見え難くすることができる。【００１２】
また、上記の構成において、前記段差部が操作面の反対側に設けられた凸部である、という特徴を有する。【００１３】
このように構成された入力装置は、前記操作面の反対側に設けられた凸部が金属配線部に向かう入射光を屈折させる。そのため、光を金属配線部に当たりづらくすることができる。【００１４】
また、上記の構成において、複数の前記透明接続配線部が、共通の前記隙間を通って前記表示領域から前記加飾領域へ延出している、という特徴を有する。【００１５】
このように構成された入力装置は、１つの隙間を複数の透明接続配線部が共用することによって、隙間の数を配線部の数よりも少なくすることができる。そのため、操作面側から金属配線部をより見え難くすることができる。【００１６】
また、上記の構成において、前記加飾領域における前記透明接続配線部と前記金属配線部との接続箇所が、前記段差部と対向する位置に設けられている、という特徴を有する。【００１７】
このように構成された入力装置は、透明接続配線部と金属配線部との接続箇所が隙間を避けた位置に設けられているため、光を屈折させる段差部の作用をより強くすることができる。【００１８】
また、上記の構成において、前記段差部の前記表示領域側の側面に、遮光層が設けられている、という特徴を有する。【００１９】
このように構成された入力装置は、遮光層によって金属配線部に向かって進む光を反射させることができるため、金属配線部に当たる光の量を減衰させることができる。【００２０】
また、上記の構成において、前記段差部が透明基材内に設けられた凹部である、という特徴を有する。【００２１】
このように構成された入力装置は、透明基材内に設けられた凹部が透明基材の中を通って金属配線部に向かって進む光を屈折させる。そのため、金属配線部に当たる光の量を減衰させることができる。
【発明の効果】
【００２２】
本発明の入力装置は、金属配線部より表示領域側に段差部を設けたため、金属配線部に向かって進む光を段差部によって屈折させ、金属配線部に当たりづらくすることが可能となる。そのため、金属配線部を操作面側から見え難くすることができる。
【図面の簡単な説明】
【００２３】
【図１】本発明の第１実施形態の入力装置を示す平面図である。
【図２】第１実施形態の入力装置の断面図である。
【図３】第１実施形態の入力装置の拡大断面図である。
【図４】第１実施形態の第１変形例の入力装置を示す平面図である。
【図５】第１実施形態の第２変形例の入力装置を示す拡大平面図である。
【図６】第１実施形態の第３変形例の入力装置を示す拡大平面図である。
【図７】第１実施形態の第４変形例の入力装置を示す平面図である。
【図８】第１実施形態の第５変形例の入力装置の拡大断面図である。
【図９】本発明の第２実施形態の入力装置を示す平面図である。
【図１０】第２実施形態の入力装置の断面図である。
【図１１】第２実施形態の入力装置の拡大断面図である。
【図１２】従来例に係る入力装置を示す平面図である
【図１３】従来例に係る入力装置を示す拡大平面図である。
【発明を実施するための形態】
【００２４】
以下、本発明の入力装置について図面を参照しながら説明する。本発明の入力装置は、車両内のセンターコンソール等に設置された、例えばカーナビゲーション装置や空調装置、運転操作に関係する装置等の操作を行うための入力装置であり、静電容量式のタッチパネルを用いた入力装置である。本発明の入力装置の用途については、これらに限定されるものではなく適宜変更が可能である。尚、本明細書では、特に断りの無い限り、各図面のＸ１側を右側、Ｘ２側を左側、Ｙ１側を奥側、Ｙ２側を手前側、Ｚ１側を上側、Ｚ２側を下側として説明する。
【００２５】
［第１実施形態］
最初に、図１乃至図３を参照して、本発明の第１実施形態に係る入力装置１００の構造について説明する。図１は、第１実施形態の入力装置１００を示す平面図であり、図２は、第１実施形態の入力装置１００の断面図である。図２のうち、図２（ａ）は、図１に示すＡ−Ａ線から右方向に向けて見た断面図であり、図２（ｂ）は、図１に示すＢ−Ｂ線から奥方向に向けて見た断面図である。図３は、第１実施形態の入力装置１００を、図１に示すＢ−Ｂ線から奥方向に向けて部分的に見た拡大断面図である。尚、図１（平面図）における金属配線部１２と透明配線部１３の透明接続配線部１３ａとの区別を明確にするため、金属配線部１２にハッチングを施している。今後説明する図４乃至図７及び図９についても同様である。また、各図において、透明基材３０上の表面部材３３及び操作面２５を２点鎖線で表示している。
【００２６】
入力装置１００は、図１に示すように、表面に表示領域２０及び加飾領域１０を有する透明基材３０と、表示領域２０に設けられた透明電極２１と、加飾領域１０に設けられた配線部１１と、を備えた入力装置である。
【００２７】
透明基材３０は、透光性を有するポリエチレンテレフタレート（ＰＥＴ）等のフィルム状の透明な基材やガラス基材等で略矩形状に形成される。
【００２８】
表示領域２０は、入力装置１００における入力領域であり、表示領域２０の表面には複数の透明電極２１が形成されている。透明電極２１は、透明基材３０の表面に直接ＩＴＯ（Indium Tin Oxide）等の透明導電材料が蒸着され、当該透明導電材料がエッチングされることにより形成される電極パターンである。従って、表示領域２０は上下方向（厚み方向）に対して透光性となる。尚、透明電極２１は、透明基材３０の表面に直接形成せずに、ＩＴＯ等の透明導電材料が既に蒸着されて、電極が形成されているフィルム状の基材を、透明な接着剤によって透明基材３０の表面に貼り付けるようにして設けても良い。表示領域２０の上側には、入力装置１００を操作するための操作面２５が設けられている。
【００２９】
加飾領域１０は、透明基材３０上の表示領域２０の周囲を額縁状に囲む領域であり、加飾領域１０内には配線部１１が形成されている。加飾領域１０は、車両内のセンターコンソール等に設置されたタッチパネルの操作面２５側から、加飾領域１０に設けられた配線部１１を見えないようにする領域のことであり、実質的に使用される領域ではなく、非入力領域として構成されている。
【００３０】
加飾領域１０に形成されている配線部１１は、上述した表示領域２０上の透明電極２１と一体で、透明電極２１から延伸して形成された透明な導電層である複数の透明配線部１３と、この透明配線部１３に対応した複数の金属配線部１２と、を有している。
【００３１】
透明配線部１３は、図１に示すように、表示領域２０にある透明電極２１と金属配線部１２とを電気的に接続する透明接続配線部１３ａを有すると共に、金属配線部１２の下側に設けられた透明下側配線部１３ｂとを有している。即ち、透明配線部１３では、矩形状に形成された透明基材３０の右側及び左側の辺に沿って位置する透明下側配線部１３ｂの上側に、図３に示すように、金属配線部１２が積層されている。
【００３２】
透明配線部１３は、透明電極２１から延伸して形成されているため、透明電極２１と同様に、ＩＴＯ等の透明導電材料で形成されている。一方、金属配線部１２は、透明配線部１３に使用される透明導電材料よりも電気抵抗値が小さい金属材料、例えば、Ｃｕ、Ｃｕ合金、ＣｕＮｉ合金、Ｎｉ、Ａｇ等の金属材料で形成される。透明下側配線部１３ｂの上側に上述の金属配線部１２を形成することにより、配線部１１における電気抵抗を低く抑えることができる。
【００３３】
透明電極２１及び配線部１１の上面には、図２（ａ）、図２（ｂ）及び図３に示すように、中央に操作面２５を有する表面部材３３が、両面粘着テープ等の粘着層（図示せず）によって接合される。表面部材３３は、特に材質を限定するものではないが、ガラスや透明なプラスチック等で形成される。また、粘着層も透明な材質の基材によって形成されている。
【００３４】
入力装置１００のような静電容量式の入力装置では、図２（ｂ）に示す表示領域２０内に設けられた透明電極２１の上方の操作面２５に指を接触又は近接させると、透明電極２１とグランド間との間の静電容量に当該指と透明電極２１との間の静電容量が付加され、全体の静電容量が変化する。そして、この容量変化に基づいて指の接触位置を算出することが可能となり、入力が行なわれたことが判定される。
【００３５】
透明基材３０の加飾領域１０には、図１に示すように、加飾領域１０の形状に合わせて額縁状に加飾層３５が設けられている。加飾層３５は、図２（ａ）、図２（ｂ）及び図３に示すように、加飾領域１０側の表面部材３３と配線部１１との間に形成されている。加飾層３５は、表面部材３３の下側表面を黒く塗装して形成される。加飾層３５を表面部材３３の下側表面に形成することによって、タッチパネルの操作面２５側から見たとき、加飾領域１０を黒く表示し、実質的に加飾領域１０上の配線部１１を見えなくすることが可能となる。即ち、加飾領域１０は、上下方向（厚み方向）に対して非透光性となっている。尚、加飾層３５は、表面部材３３の下側面ではなく、透明基材３０の下側面で配線部１１の下側に設けられていても良い。
【００３６】
加飾領域１０には、図１に示すように、金属配線部１２よりも表示領域２０側に複数の段差部１５が設けられている。
【００３７】
段差部１５は、図１に示すように、手前側から奥側の方向（Ｙ１−Ｙ２方向）に形成されていると共に、１つの段差部１５と隣接する他の段差部１５との間に、隙間１７が設けられている。そのため、段差部１５は、複数に分断されて設けられている。即ち、複数の段差部１５は、平面視にて金属配線部１２の延在方向に隙間１７を設けるように配置されている。そして、前述した透明接続配線部１３ａがこの隙間１７を通って表示領域２０から加飾領域１０に延出している。
【００３８】
本発明の第１実施形態の入力装置１００において、加飾領域１０に設けられている段差部１５は、図２（ａ）、図２（ｂ）及び図３に示すように、透明基材３０上に設けられた凸部１５ａである。凸部１５ａは、透明基材３０と一括に成型されるので、透明基材３０と同様に、透光性を有するポリエチレンテレフタレート等のフィルム状の透明な基材やガラス基材等で形成される。凸部１５ａの高さは、図３に示すように、透明配線部１３に積層された状態の金属配線部１２の高さより高く設定される。
【００３９】
加飾領域１０の金属配線部１２よりも表示領域２０側に段差部１５を設けることにより、金属配線部１２が入力装置１００の操作面２５側から見え難くすることができる。加飾領域１０に段差部１５を設けることにより金属配線部１２が入力装置１００の操作面２５側から見え難くすることができる理由について次に説明する。
【００４０】
図３に示すように、操作面２５側から金属配線部１２に向かって進む光Ｌ１は、金属配線部１２に当たる前に、透明な基材によって形成されている段差部１５である凸部１５ａの表示領域２０側の側面に当たる。そうすると、光Ｌ１が凸部１５ａに侵入する際に、光Ｌ１は、透明な基材やガラス基材等で形成されている凸部１５ａの屈折率が空気の屈折率よりも大きいことによって、屈折する。従って、光Ｌ１は、金属配線部１２に向かわないため、金属配線部１２に当たりづらくなる。その結果、金属配線部１２が入力装置１００の操作面２５側から見え難くなる。
【００４１】
次に、第１実施形態の第１変形例の入力装置１１０、第２変形例の入力装置１２０、及び第３変形例の入力装置１３０について、図４乃至図６を用いて説明する。図４は、第１変形例の入力装置１１０を示す平面図であり、図５は、第２変形例の入力装置１２０を示す拡大平面図であり、図６は、第３変形例の入力装置１３０を示す拡大平面図である。
【００４２】
第１実施形態の入力装置１００と第１変形例の入力装置１１０との相違点は、透明接続配線部１３ａの配置の仕方、及びそれに伴う段差部１５の長さと隙間１７の幅及びそれぞれの数量の違いである。また、入力装置１００と第２変形例の入力装置１２０との相違点は、透明接続配線部１３ａの形状の違いだけである。そして、第３変形例の入力装置１３０は、第１変形例の入力装置１１０と第２変形例の入力装置１２０とを組み合わせて構成させたものである。
【００４３】
上述した第１変形例の入力装置１１０乃至第３変形例の入力装置１３０の構造は、上述した第１実施形態の入力装置１００との相違点以外、第１実施形態の入力装置１００と同一である。そのため、この同一の部分に対する説明を省略する。また、各部に付与した符号は、第１実施形態の入力装置１００と同一とする。尚、入力装置１１０及び入力装置１３０においては、入力装置１００の場合とは幅の異なる隙間１７を、幅広隙間１７ａとする。また、入力装置１２０及び入力装置１３０においては、金属配線部１２と透明接続配線部１３ａとを接続した箇所の符号を、新たに接続箇所１４として付与している。
【００４４】
＜第１変形例＞
第１変形例の入力装置１１０においては、図４に示すように、左側の奥側に位置する段差部１５の数量を２つにし、その長さを長くした。そして、これら２つの段差部１５の間に位置する隙間１７の幅を大きくし、幅広隙間１７ａとした。更に、この幅広隙間１７ａに、加飾領域１０に形成された２本の透明接続配線部１３ａを通すようにした。
【００４５】
即ち、複数の透明接続配線部１３ａが、共通の隙間１７、即ち幅広隙間１７ａを通って表示領域２０から加飾領域１０へ延出するように、透明配線部１３を配置した。入力装置１１０では、このような透明配線部１３の配置を、左側の奥側及び右側の手前側にそれぞれ一箇所ずつ設けたが、透明配線部１３の数量によっては、入力装置１１０の左側及び右側にそれぞれ複数個所設けても良い。
【００４６】
＜第２変形例＞
第２変形例の入力装置１２０においては、図５に示すように、表示領域２０から加飾領域１０に延出している透明接続配線部１３ａを、透明接続配線部１３ａが隙間１７を通過した後、段差部１５側（Ｙ１方向）へ延伸するように折り曲げて形成する。更に、金属配線部１２と透明接続配線部１３ａとの接続部である接続箇所１４を、段差部１５の近傍に設けるようにした。
【００４７】
即ち、加飾領域１０における透明接続配線部１３ａと金属配線部１２との接続箇所１４を、段差部１５と対向する位置に設けた。図５では、接続箇所１４を、入力装置１２０の左側の奥側に二箇所設けたが、入力装置１２０の右側等その他の位置に設けても良い。
【００４８】
＜第３変形例＞
第３変形例の入力装置１３０においては、図６に示すように、左側の奥側の２つの段差部１５の間に位置する隙間１７の幅を大きくして幅広隙間１７ａとし、この幅広隙間１７ａに、加飾領域１０に形成された２本の透明接続配線部１３ａを通すようにした。また、表示領域２０から加飾領域１０に延出している透明接続配線部１３ａを、透明接続配線部１３ａが隙間１７を通過した後、手前側の段差部１５の方向（Ｙ２方向）へ延伸するように折り曲げて形成し、更に、金属配線部１２と透明接続配線部１３ａとの接続部である接続箇所１４を、段差部１５の近傍に設けるようにした。
【００４９】
言い換えれば、複数の透明接続配線部１３ａが、共通の隙間１７、即ち幅広隙間１７ａを通って表示領域２０から加飾領域１０へ延出するように、透明配線部１３を配置すると共に、加飾領域１０における透明接続配線部１３ａと金属配線部１２との接続箇所１４を、段差部１５と対向する位置に設けた。
【００５０】
次に、本実施形態の第１実施形態の第４変形例の入力装置１４０、及び第５変形例の入力装置１５０について、図７及び図８を用いて説明する。図７は、第４変形例の入力装置１４０を示す平面図であり、図８は、第５変形例の入力装置１５０の拡大断面図である。
【００５１】
第１実施形態の入力装置１００と第４変形例の入力装置１４０との相違点は、複数の段差部１５の配置を変更しただけである。また、第１実施形態の入力装置１００と第５変形例の入力装置１５０との相違点は、段差部１５の構成だけである。そのため、これらに関する説明以外の説明は省略する。また、各部に付与した符号は、第１実施形態の入力装置１００と同一とする。
【００５２】
＜第４変形例＞
第１実施形態の第４変形例の入力装置１４０においては、図７に示すように、左側及び右側の奥側に位置している複数の段差部１５の位置を、表示領域２０より、略矩形状をした透明基材３０の左側の辺又は右側の辺の方向に移動させた。このことにより、複数の段差部１５の位置を、Ｙ１−Ｙ２方向に沿って配置させないことになる。即ち、入力装置１００においては、複数の段差部１５の位置は、Ｙ１−Ｙ２方向に沿って配置されていなくても良い。
【００５３】
＜第５変形例＞
第１実施形態の第５変形例の入力装置１５０においては、図８に示すように、加飾領域１０に設けられている段差部１５である凸部１５ａの右側の側面、即ち表示領域２０側の側面に遮光層１５ｃを設けるようにした。遮光層１５ｃは、透明な基材である凸部１５ａの右側の側面を黒く塗装することによって形成される。尚、遮光層１５ｃは、凸部１５ａの右側の側面黒く塗装せずに、凸部１５ａの側面を梨字状に荒らして形成しても良い。
【００５４】
加飾領域１０に設けた段差部１５に遮光層１５ｃが設けられている場合、図８に示す金属配線部１２に向かって進む光Ｌ１は、最初に凸部１５ａの表示領域２０側の側面の遮光層１５ｃに当たる。そうすると、光Ｌ１は、遮光層１５ｃによって表示領域２０側へ反射する。従って、金属配線部１２に向かって進む光Ｌ１は、金属配線部１２に当たりづらくなる。その結果、金属配線部１２が入力装置１５０の操作面２５側から見え難くなる。尚、凸部１５ａの側面を梨字状に荒らして形成した場合は、光Ｌ１は、遮光層１５ｃによって乱反射する。この場合も光Ｌ１は、金属配線部１２に当たりづらくなる。
【００５５】
次に、図９乃至図１１を参照して、本発明の第２実施形態に係る入力装置２００の構造について説明する。図９は、入力装置２００を示す平面図であり、図１０は、入力装置２００の断面図である。図１０のうち、図１０（ａ）は、図９に示すＣ−Ｃ線から右方向に向けて見た断面図であり、図１０（ｂ）は、図９に示すＤ−Ｄ線から奥方向に向けて見た断面図である。また、図１１は、入力装置２００を、図９に示すＤ−Ｄ線から奥方向に向けて部分的に見た拡大断面図である。
【００５６】
第１実施形態の入力装置１００と第２実施形態の入力装置２００との相違点は、段差部１５の構成だけである。そのため、段差部１５に関する説明以外の説明を省略する。また、各部に付与した符号は、第１実施形態の入力装置１００と同一とする。
【００５７】
入力装置２００は、図９に示すように、入力装置１００と同様、表面に表示領域２０及び加飾領域１０を有する透明基材３０と、表示領域２０に設けられた透明電極２１と、加飾領域１０に設けられた配線部１１と、を備えた入力装置である。
【００５８】
加飾領域１０には、図９に示すように、金属配線部１２よりも表示領域２０側に複数の段差部１５が設けられている。
【００５９】
段差部１５は、図９に示すように、手前側から奥側の方向（Ｙ１−Ｙ２方向）に形成されていると共に、１つの段差部１５と隣接する他の段差部１５との間に、隙間１７が設けられている。そのため、段差部１５は、複数に分断されて設けられている。即ち、複数の段差部１５は、平面視にて金属配線部１２の延在方向に隙間１７を設けるように配置されている。そして、前述した透明接続配線部１３ａがこの隙間１７を通って表示領域２０から加飾領域１０に延出している。
【００６０】
本発明の第２実施形態の入力装置２００において、加飾領域１０に設けられている段差部１５は、図１０（ａ）、図１０（ｂ）及び図１１に示すように、透明基材３０の内部に設けられた凹部１５ｂである。従って、段差部１５は、透明基材３０と一括に形成される、基材の存在しない空間である。
【００６１】
入力装置２００では、加飾領域１０の金属配線部１２よりも表示領域２０側の透明基材３０の内部に段差部１５である凹部１５ｂを設けることにより、金属配線部１２が入力装置２００の操作面２５側から見え難くすることができる。
【００６２】
金属配線部１２に向かって進む光には、透明基材３０の上方の空間を通って行く光以外にも、図１１に示すように、透光性を有するポリエチレンテレフタレート等のフィルム状の透明な基材やガラス基材等で形成される透明基材３０の内部を通って進む光Ｌ２も含まれる。
【００６３】
図１１に示す透明基材３０の内部を通って金属配線部１２に向かって進む光Ｌ２は、金属配線部１２に向かう途中に、透明基材３０内の凹部１５ｂとの境界となっている一方の側面壁３０ａに到達し、その後、凹部１５ｂ内の空間に侵入する。すると、光Ｌ２は、凹部１５ｂ内の空気の屈折率が、透明基材３０の屈折率よりも小さいことによって、凹部１５ｂに侵入する際に屈折する。また、光Ｌ２が、凹部１５ｂから他方の側面壁３０ａに当たる際にも、透明基材３０の屈折率が凹部１５ｂ内の空気の屈折率よりも大きいことによって屈折する。従って、光Ｌ２は、金属配線部１２に当たりづらくなる。その結果、金属配線部１２が入力装置１００の操作面２５側から見え難くなる。
【００６４】
以下、本実施形態としたことによる効果について説明する。
【００６５】
入力装置１００は、金属配線部１２より表示領域２０側に段差部１５を設けたため、金属配線部１２に向かって進む光Ｌ１を段差部１５によって屈折させ、金属配線部１２に当たりづらくすることが可能となる。そのため、金属配線部１２を操作面２５側から見え難くすることができる。
【００６６】
また、透明基材３０上に設けられた凸部１５ａが透明基材３０の上方を金属配線部１２に向かって進む光Ｌ１を屈折させる。そのため、光Ｌ１を金属配線部１２に当たりづらくすることができる。
【００６７】
また、１つの隙間１７を複数の透明接続配線部１３ａが共用することによって、隙間１７の数を少なくすることができる。そのため、操作面２５側から金属配線部１２をより見え難くすることができる。
【００６８】
また、透明接続配線部１３ａと金属配線部１２との接続箇所１４が隙間１７を避けた位置に設けられているため、光Ｌ１を屈折させる段差部１５の作用をより強くすることができる。
【００６９】
また、遮光層１５ｃによって金属配線部１２に向かって進む光Ｌ１を反射させることができるため、金属配線部１２に当たる光Ｌ１の量を減衰させることができる。
【００７０】
また、入力装置２００は、透明基材３０内に設けられた凹部１５ｂが透明基材３０の中を通って金属配線部１２に向かって進む光Ｌ２を屈折させる。そのため、金属配線部１２に当たる光Ｌ２の量を減衰させることができる。
【００７１】
以上説明したように、本発明の入力装置は、金属配線部より表示領域側に段差部を設けたため、金属配線部に向かって進む光を段差部によって屈折させ、金属配線部に当たりづらくすることが可能となる。そのため、金属配線部を操作面側から見え難くすることができる。
【００７２】
本発明は上記の実施形態に限定されるものではなく、要旨を逸脱しない範囲で種々変更して実施することが可能である。例えば、入力装置１１０乃至入力装置１５０を、第１実施形態の入力装置１００の変形例として説明したが、これらを、それぞれ、第２実施形態の入力装置２００の変形例として適用しても良い。
【符号の説明】
【００７３】
１０      加飾領域
１１      配線部
１２      金属配線部
１３      透明配線部
１３ａ    透明接続配線部
１３ｂ    透明下側配線部
１４      接続箇所
１５      段差部
１５ａ    凸部
１５ｂ    凹部
１５ｃ    遮光層
１７      隙間
１７ａ    幅広隙間
２０      表示領域
２１      透明電極
２５      操作面
３０      透明基材
３０ａ    側面壁
３３      表面部材
３５      加飾層
１００    入力装置
１１０    入力装置
１２０    入力装置
１３０    入力装置
１４０    入力装置
１５０    入力装置
２００    入力装置
Ｌ１      光
Ｌ２      光
【図１】
2017115566.tif 000003
【図２】
2017115566.tif 000004
【図３】
2017115566.tif 000005
【図４】
2017115566.tif 000006
【図５】
2017115566.tif 000007
【図６】
2017115566.tif 000008
【図７】
2017115566.tif 000009
【図８】
2017115566.tif 000010
【図９】
2017115566.tif 000011
【図１０】
2017115566.tif 000012
【図１１】
2017115566.tif 000013
【図１２】
2017115566.tif 000014
【図１３】
2017115566.tif 000015
【国際調査報告】
2017115566.tif 000016
2017115566.tif 000017
2017115566.tif 000018
2017115566.tif 000019